(57)【要約】【課題】  植物の根に直接、水を供給できるようにしたプランター装置を提供するものである。【解決手段】  不織布で形成され、その内部に腐葉土が収容される容器と、該腐葉土内に埋設可能に設けられ、水供給口と散水孔とが形成された水貯留部と、上流側が水供給源に連結され、下流側が前記水貯留部の水供給口に着脱可能に連結される水供給管とを備え、  前記不織布に孔を穿孔し、該孔から容器内に植物を差込んで腐葉土に植付け可能であることを特徴とするものである。【選択図】    図１
2006034151.tif 000002
【特許請求の範囲】
【請求項１】
不織布で形成され、その内部に腐葉土が収容される容器と、該腐葉土内に埋設可能に設けられ、水供給口と散水孔とが形成された水貯留部と、上流側が水供給源に連結され、下流側が前記水貯留部の水供給口に着脱可能に連結される水供給管とを備え、
前記不織布に孔を穿孔し、該孔から容器内に植物を差込んで腐葉土に植付け可能であることを特徴とするプランター装置。
【請求項２】
前記水貯留部の水供給口と水供給管とが、可撓性の部材で連結されたことを特徴とする請求項１に記載のプランター装置。
【請求項３】
前記水供給管に複数個の水貯留部が連結可能である事を特徴とする請求項１に記載のプランター装置。
【請求項４】
前記水供給管内には、肥料、殺虫剤が混入可能であることを特徴とする請求項１又は請求項２に記載のプランター装置。
【請求項５】
前記水貯留部は水平に設けられたことを特徴とする請求項１乃至請求項３の何れか１項に記載のプランター装置。
【請求項６】
前記水貯留部は垂直に設けられたことを特徴とする請求項１乃至請求項３の何れか１項に記載のプランター装置。
【請求項７】
前記容器は、籠内に配設可能であることを特徴とする請求項１乃至請求項５の何れか１項に記載のプランター装置。
【請求項８】
前記籠は引掛け部を有していることを特徴とする請求項７に記載のプランター装置。
【請求項９】
前記散水孔は、散水孔内への植物の根の侵入を防ぐ防草シートで被われていることを特徴とする請求項１乃至請求項８の何れか１項に記載のプランター装置。
【請求項１０】
前記散水孔の個数は、上側から下側へ向けて少なくしたことを特徴とする請求項１乃至請求項９の何れか１項に記載のプランター装置。
【請求項１１】
前記散水孔の孔の口径は、上側から下側へ向けて小さくしたことを特徴とする請求項１乃至請求項１０の何れか１項に記載のプランター装置。
【請求項１２】
内部に腐葉土が収容される容器を不織布で形成し、この容器の底部には、底部の周縁部から中心部に向けて下向きに傾斜する傾斜部を形成したことを特徴とするプランター装置。
【発明の詳細な説明】
【技術分野】
【０００１】
本発明は、植物を育成するプランター装置に関する。
【背景技術】
【０００２】
マンションのベランダ等にプランターを設置して家庭菜園や花壇として楽しむことが行われている。そして、このようなプランター１００に水を供給する場合には、図１６に示すように、漏斗１０１等によって散水することが一般的である。
【発明の開示】
【発明が解決しようとする課題】
【０００３】
ところで、植物Ｓの上方から散水することにより、植物Ｓの葉や花に水が当たった場合には、水の当たった葉や花の温度が急変するため、植物Ｓの上方から植物Ｓに散水することは、植物Ｓにとって大きなストレスになっていた。又、花に水が直接当たることにより、花が落下し易く、花の寿命を縮める原因にもなっていた。このため、植物Ｓの種類によっては、植物Ｓの葉や花に水を当てることなく、植物Ｓの根に直接水を供給することが好ましい場合があるが、従来のプランターにおいては、このような配慮が施されたものは無かった。
【０００４】
本発明は、前記実情に鑑みて成されたもので、その目的は、植物の根に直接、水を供給できるようにしたプランター装置を提供するにある。
【課題を解決するための手段】
【０００５】
請求項１に記載の発明は、不織布で形成され、その内部に腐葉土が収容される容器と、該腐葉土内に埋設可能に設けられ、水供給口と散水孔とが形成された水貯留部と、上流側が水供給源に連結され、下流側が前記水貯留部の水供給口に着脱可能に連結される水供給管とを備え、
前記不織布に孔を穿孔し、該孔から容器内に植物を差込んで腐葉土に植付け可能であることを特徴とするものである。
【０００６】
請求項２に記載の発明は、請求項１に記載のプランター装置において、水貯留部の水供給口と水供給管とが、可撓性の部材で連結されたことを特徴とするものである。
【０００７】
請求項３に記載の発明は、請求項１又は請求項２に記載のプランター装置において、前記水供給管に複数個の水貯留部が連結可能である事を特徴とするものである。
【０００８】
請求項４に記載の発明は、請求項１乃至請求項３の何れか１項に記載のプランター装置において、水供給管内には、肥料、殺虫剤が混入可能であることを特徴とするものである。
【０００９】
請求項５に記載の発明は、請求項１乃至請求項４の何れか１項に記載のプランター装置において、水貯留部は水平に設けられたことを特徴とするものである。
【００１０】
請求項６に記載の発明は、請求項１乃至請求項４の何れか１項に記載のプランター装置において、水貯留部は垂直に設けられたことを特徴とするものである。
【００１１】
請求項７に記載の発明は、請求項１乃至請求項４の何れか１項に記載のプランター装置において、容器は籠内に配設可能であることを特徴とするものである。
【００１２】
請求項８に記載の発明は、請求項７に記載のプランター装置において、記籠は引掛け部を有していることを特徴とするものである。
【００１３】
請求項９に記載の発明は、請求項１乃至請求項８の何れか１項に記載のプランター装置において、散水孔は、散水孔内への植物の根の侵入を防ぐ防草シートで被われていることを特徴とするものである。
【００１４】
請求項１０に記載の発明は、請求項１乃至請求項９の何れか１項に記載のプランター装置において、散水孔の個数は、上側から下側へ向けて少なくしたことを特徴とするものである。
【００１５】
請求項１１に記載の発明は、請求項１乃至請求項１０の何れか１項に記載のプランター装置において、散水孔の孔の口径は、上側から下側へ向けて小さくしたことを特徴とするものである。
【００１６】
請求項１２に記載の発明は、内部に腐葉土が収容される容器を不織布で形成し、この容器の底部には、底部の周縁部から中心部に向けて下向きに傾斜する傾斜部を形成したことを特徴とするものである。
【発明の効果】
【００１７】
請求項１に記載のプランター装置によれば、植物の根に直接水を供給することができる。
【００１８】
請求項２に記載のプランター装置によれば、水貯留部を水供給管に容易に連結することができる。
【００１９】
請求項３に記載のプランター装置によれば、水供給管に対して複数の容器を連結することができる。
【００２０】
請求項４に記載のプランター装置によれば、植物の根に直接、肥料や殺虫剤を供給することができる。
【００２１】
請求項５に記載のプランター装置によれば、植物の根に対して垂直方向から水を供給することができる。
【００２２】
請求項６に記載のプランター装置によれば、植物の根に対して水平方向から水を供給することができる。
【００２３】
請求項７に記載のプランター装置によれば、容器を籠内に収容することができる。
【００２４】
請求項８に記載のプランター装置によれば、籠内に容器を収容した状態で、籠を例えば、フェンス等に引掛ける等して支持させることができる。
【００２５】
請求項９に記載のプランター装置によれば、散水孔内への植物の根の侵入を防ぐことができる。
【００２６】
請求項１０に記載のプランター装置によれば、容器内の上位において比較的多量に散水された水は、時間の経過と共に下方へ向けて移動することにより、容器内の全域に水が行き渡ることができる。
【００２７】
請求項１１に記載のプランター装置によれば、容器内の上位において比較的多量に散水された水は、時間の経過と共に下方へ向けて移動することにより、容器内の全域に水が行き渡ることができる。
【００２８】
請求項１２に記載の発明によれば、容器内に散水された水の内の余分の水は、容器の底部に形成された傾斜部によって、底部の中心に集まり易く、排水をし易いという作用・効果を奏することができる。
【発明を実施するための最良の形態】
【００２９】
図１乃至図５は本発明の第一実施形態を示す。図１は本発明に係るプランター装置の斜視図を示す。図２は、プランター装置の一部を断面にした状態を示す。図３は容器を収容する籠の斜視図を示す。図４は図３に示す籠の一部を拡大して示した籠の拡大図である。図５は本発明に係るプランター装置を複数個配置した状態を示す。
【００３０】
図１中、１はプランター装置２の一部を構成する容器である。容器１は、不織布で形成され、上面が開放した形状になっていると共に、蓋３によって開閉可能になっている。この容器１内には、腐葉土４のような植物Ｓの生育に適した土が収容されるものである。この容器１の周囲の任意の位置は、ナイフやカッターのような刃物で切り欠かれることによってその切欠部５に植物が根側から差込まれて前記腐葉土４に植付け可能になっている。この容器１は不織布で形成されているため、通常の布で形成されている場合と比較して、切欠部５の周辺はホツレ難いという特性がある。又、この切欠部５は、植物の差込の容易さ等を考慮した場合には、図示のように、Ｙ字状であることが好ましい。
【００３１】
図２に示すように、前記腐葉土４（図２中、１点鎖線で示す）内には水貯留部６が水平に埋設可能になっている。この水貯留部６は略Ｔ字状に形成され、中央の連結部７とこの連結部７から両側へ延設された散水部８とを備えている。連結部７には、水供給口９が形成され、この水供給口９には後述の水供給管１０の連結部１１が連結可能になっている。又、散水部８は一端８ａが閉塞され、他端には連通部８ｂが形成されている。散水部８の下面及び側面には、複数の散水孔１２が形成され、水供給管１０から供給された水が腐葉土４内へ散水可能になっている。連通部８ｂは上方へ延設され、腐葉土４の表面４ａから上方へ露出する長さに形成され、上端面には排水孔１３が開口している。前記散水孔１２は不織布などによって形成された防草シート１４で被われている。この場合、散水孔１２の周囲に接着剤を塗布し、防草シート１４は接着剤によって散水孔１２の周囲に取付けるようにしても良い。又、前記防草シート１４をテープ状に形成して、防草シート１４を水貯留部６に巻き付けるようにして、この防草シート１４によって散水孔１２を被うようにしても良い。更に、防草シート１４によって袋を形成し、この袋によって水貯留部６全体を被うことにより、散水孔１２を防草シート１４によって被うようにしても良い。
【００３２】
図２に示すように、前記水貯留部６に水を供給する水供給管１０は、水貯留部６の連結部７に連結可能な連結部１１を有している。水貯留部６の連結部７と、水供給管１０の連結部１１とは、ビニールチューブのような可撓性の連結管１５によって連結可能になっている。前記水供給管１０は、ビニールチューブのような可撓性の管で形成すれば、水供給管１０は容易に撓むことが出来るため、水供給管１０を曲折して配置することができる上に、水供給管１０と水貯留部６との連結を容易に行うことができる。水供給管１０には、水道の蛇口のような水供給源（図示せず）が連結されて、水が供給可能になっている。尚、水供給管１０は前述のように、ビニールチューブのような可撓性の管に限定されるものでないことは勿論である。
【００３３】
図３及び図４は、前記容器１が収容可能な籠を示す。籠１６は、縦材１７と横材１８とによって網状に形成され、上面は開放した形状を成している。籠１６の上縁には山形の引掛部１９が形成されている。この引掛部１９には、吊下部材２０が引掛けできるようになっている。吊下部材２０は、横棒２１とこの横棒２１に対して略直角に連設された縦棒２２とから構成されている。縦棒２２の先端は弧状に曲折部２３になり、又、横棒２２の両端部は略直角に曲折されて抜止部２４に成っている。又、縦棒２１は、横棒２２の中心位置から一方の端に偏った位置において横棒２２に取り付けられている。更に、図３及び図４に示すように、吊下部材２０の抜止部２４の長さＬ１（図４に示す）は、前記引掛部１９の横方向の長さＬ２よりも短く、且つ、この引掛部１９の縦方向の長さＬ３よりも長く形成されている。従って、図４に示すように、吊下部材２０を横倒しにした状態で、この吊下部材２０の抜止部２４を引掛部１９に挿通した後、吊下げ部材２０を図４中、矢示方向へ起こすことにより、図３に示すように、吊下部材２０の抜止部２４が引掛部１９に引っ掛かって抜けが阻止されるものである。このようにして、吊下部材２０が引掛部１９に取付けられるものである。
このように構成された籠１６内に前記容器１が収容された状態においては、容器１に植付けされた植物Ｓは、籠１６の縦材１７と横材１８との隙間２５（図３に示す）を通して、外部へ引出すことにより、外方へ成長することが出来るものである。図５に示すように、前記吊下部材２０の曲折部２３をフェンスＦ等に引掛けることにより、籠１６は前記容器１を収容した状態で空中に配置可能である。
【００３４】
図５は、プランター装置２をフェンスＦ等に沿って複数個配置した状態を示す。図５において、水供給管１０の途中を上方に持ち上げ、支持具２６によってフェンスＦ等に支持させることにより、水供給管１０の途中を山形に配置した状態を示している。このように水供給管１０を山形に配置することにより以下の効果を奏する。即ち、蛇口等の水供給源から水供給管１０に対して、水の供給が停止した際、水供給管１０内に水は滞留しない。このため、例えば、水供給管１０内に滞留した水が夏の日差しの照射によって高温になった後に、容器１内の植物Ｓに供給されて植物Ｓに損傷を与える状態を防止することができる。
【００３５】
次に、このように構成されたプランター装置２の作用について説明する。先ず、プランター装置２を配置するべき位置に水供給管１０を予め配置する。次に、容器１の蓋３（図１に示す）を開けて、容器１の内部に腐葉土４を収容する。次に、図２に示すように、腐葉土４内に水貯留部６を埋設する。次に、図１に示すように、容器１の適宜の位置をナイフ等の刃物によってＹ字状に切り欠くことにより、切欠部５を形成する。所望の植物の根側を切欠部５から容器１内に差込んで、植物を腐葉土４に植付ける。次に、このように植物Ｓを植付けた容器１を籠１６（図３に示す）内に収容する。この際、籠１６を構成する縦材１７と横材１８との隙間２５から、植物Ｓを外部へ導き出す。その後、図５に示すように、籠１６の吊下部材２０をフェンスＦ等に引掛けて配置する。次に、図２に示すように、水貯留部６の水供給口９を連結管１５を介して水供給管１０に連結する。これにより、プランター装置２の配置が完了する。
【００３６】
次に、水道の蛇口等の水供給源から水供給管１０に水を供給する。水供給源から水供給管１０を流通した水は、水貯留部６に流れ込む。この水貯留部６に流れ込んだ水は、図２に示すように、水貯留部６の散水孔１２から徐々に腐葉土４内に散水されて腐葉土４を湿らせる。腐葉土４内に散水された水は自重によって、腐葉土４内を徐々に下方に下りながら腐葉土内に滞留している二酸化炭素を容器外へ排気する。一方、排気した二酸化炭素に相当する新鮮な酸素を容器内へ吸い込んで植物に供給できる。本実施形態においては、容器が不織布で形成されているため、二酸化炭素及び酸素の通気が容易に行えて、容易にガス交換を行うことができる。そして、所定時間が経過した後、蛇口をひねって水の供給を停止する。尚、前記二酸化炭素は、植物Ｓの呼吸によって生じたものである。
【００３７】
この実施形態においては、不織布製の容器１によって腐葉土４が被われているため、腐葉土４からの水の急激の蒸発が阻止されて、腐葉土４の急激の乾燥が防止される。又、腐葉土４が不織布製の容器１に被われているため、太陽光が照射されても、腐葉土４の急激の温度上昇が防止され、又、夜間等において温度が急激に低下することがなく、急激な温度の変化から根を保護することができる。又、花に水が直接当たらないため、水の散水によって花が落下する現象を防止できて、花の寿命を長く持続させることができる。
【００３８】
又、水に肥料や殺虫剤を混入することにより、肥料や殺虫剤を根に直接効率良く供給することができて、肥料や殺虫剤の周囲への飛散を防止することができる。特に、殺虫剤については、外部への飛散が少ないので、人間の混雑した状況下でも危険なく殺虫剤を用いることができる。
【００３９】
更に、水供給管１０から供給された水が、連通部８ｂの排水孔１３から外部へ溢れ出ることにより、水貯留部６内において水が一杯になっていることを目視することができるため、必要以上の水の供給を防止することができるものである。
【００４０】
更に、この実施形態においては、水貯留部６の散水孔１２が防草シート１４で被われているため、植物Ｓの根が水貯留部６の散水孔１１に入り込むことが無い。このため、散水孔１１が植物の根によって詰まる虞がない。
【００４１】
図６及び図７は、第２実施形態を示す。この第２実施形態の水貯留部６は、第一水貯留部３１と第二水貯留部３２と第三水貯留部３３と第四水貯留部３４と第五水貯留部３５を備えた構成である。
【００４２】
第一水貯留部３１は、垂直方向に配設され、上端には水供給口３６が形成されている。この第一水貯留部３１は水平に配置された第二水貯留部３２によって第三水貯留部３３に連結されている。第三水貯留部３３は垂直方向に配設されている。この第三水貯留部３３は、上端が腐葉土４（図６中、１点鎖線で示す）の表面４aから上方に僅か突出する長さに形成され、この第三水貯留部３３の上端面には排水孔３７が形成されている。前記第四水貯留部３４は水平方向に配設されている。この第四水貯留部３４は、前記第三水貯留部３３を囲むようにＵ字状に形成されている。この第四水貯留部３４の一端は、前記第一水貯留部３１に連通し、他端は閉塞している。前記第五水貯留部３５は前記第四水貯留部３４の下位において水平方向に配設されている。この第五水貯留部３５は、前記第三水貯留部３３を囲むようにＵ字状に形成されている。この第五水貯留部３５の一端は、前記第一水貯留部３１に連通し、他端は閉塞している。前記第一水貯留部３１，第二水貯留部３２，第三水貯留部３３，第四水貯留部３４、第五水貯留部３５の周面には複数の散水孔３８が形成され、第１実施形態と同様に防草シート３９で被われている。この散水孔３８の口径は、上側に位置する散水孔３８の口径に比較して、下側に位置する散水孔３８の口径が徐々に小径になるように形成されている。又、この散水孔３８の個数は、上側に位置する散水孔３８の個数に比較して、下側に位置する散水孔３８の個数が徐々に少なくなるよう形成されている。
【００４３】
前記第一水貯留部３１の水供給口３６には、水供給管（図示せず）が連結されて、水が供給されるようになっている点については第一実施形態と同様である。又、容器１の下面には、キャスターＫが取付けられて、任意の位置に移動できるようになっている。尚、容器１は、前述の第１実施形と同様に、吊下げ出来るようにしても良いことは勿論である。
【００４４】
次にこのように構成された第２実施形態の作用について説明する。水道の蛇口等の水供給源から水供給管に流れ込んだ水は水供給管内を流通し、第一水貯留部３１に流れ込む。この第一水貯留部３１に流れ込んだ水は、第二水貯留部３２、第三水貯留部３３、第四水貯留部３４、第五水貯留部３５を流通しながらこれら第一水貯留部３１、第二水貯留部３２、第三水貯留部３３、第四水貯留部３４、第五水貯留部３５に貯留される。これら第一水貯留部３１、第二水貯留部３２、第三水貯留部３３、第四水貯留部３４、第五水貯留部３５に貯留された水は、散水孔３８から腐葉土４内へ散水され、腐葉土４を湿らせる。又、前記散水孔３８から腐葉土４内へ向けて散水されずに残った余分の水は第二貯留部３２の上端に形成された排水孔３７から外部へ排水されることにより、腐葉土４へ供給される水が必要以上の水量に達していることが目視される。
【００４５】
又、この第２実施形態においては、図６に示すように、籠１６（図中、２点鎖線で示す）は円筒状に形成されている。又、図７は第２実施形態のプランター装置２に植物が植付けられた状態を示す。
【００４６】
図８及び図９は第３実施形態を示す。図８は側面図を示し、図９は図８の上面図を示す。この第３実施形態においては、水貯留部６が、第一水貯留部４１、第二水貯留部４２，第三水貯留部４３，第四水貯留部４４、第五水貯留部４５によって形成されている。第一水貯留部４１は水平方向配置され、その中央部からは上方に向けて連結管４６が連結されている。連結管４６の上端には水供給口４７が開口している。第一水貯留部４１の一端は閉塞端になり、他端には第二水貯留部４２が連結されている。第二水貯留部４２は垂直方向に配置されている。第二水貯留部４２には第三水貯留部４３及び第四水貯留部４４が連結されている。これら第三水貯留部４３及び第四水貯留部４４は水平方向に配置されている。第三水貯留部４３の先端は閉塞している。又、第四水貯留部４４の先端には第五水貯留部４５が連結されている。この第五水貯留部４５は垂直方向に配置されている。この第五水貯留部４５の上端には排水孔４８が形成され、余分の水が排水されるようになっている。これら第一水貯留部４１、第二水貯留部４２，第三水貯留部４３，第四水貯留部４４、第五水貯留部４５には、複数の散水孔４９が形成されている。この散水孔４９の口径は、上側に位置する散水孔４９の口径に比較して、下側に位置する散水孔４９の口径が徐々に小径になるように形成されている。又、この散水孔４９の個数は、上側に位置する散水孔４９の個数に比較して、下側に位置する散水孔４９の個数が徐々に少なくなるよう形成されている。この散水孔４９は防草シート５０で被われている。
【００４７】
この第３実施形態においては、第１実施形態と同様の作用効果を奏することができる上に、以下のような作用効果を奏することができる。即ち、この第３実施形態においては、図９に示すように、第一水貯留部４１、第二水貯留部４２，第三水貯留部４３，第四水貯留部４４、第五水貯留部４５が１つの平面内という狭い範囲内に収まった構造であるため、第２実施形態に比較して、これら第一水貯留部４１、第二水貯留部４２，第三水貯留部４３，第四水貯留部４４、第五水貯留部４５が植物Sの根の生育を阻害することが少ない。
【００４８】
図１０は第４実施形態を示す。この第４実施形態の特徴は、第４実施形態と比較して、第三水貯留部４３と第四水貯留部４４との間に第六水貯留部５１を水平方向に設け、この第六水貯留部５１に散水孔４９を形成し、防草シート５０で被った点にある。この第４実施形態においては、第３実施形態と比較して第六水貯留部５１からも腐葉土４に水を散水することができるものである。
【００４９】
図１１は、第５実施形態を示す。この第５実施形態の特徴は、容器６１を不織布で形成し、この容器６１の底部６２にはこの底部６２の周縁部６３から中心部６４に向けて下向きに傾斜する傾斜部６５を形成した点にある。
【００５０】
次に、図１２に基づき、この第５実施形態の容器の製造について説明する。図１２は、第５実施形態の容器の展開図を示す。先ず、同図１２に示すように、不織布６６を略扇形に裁断する。この扇形の不織布６６は、外周側の円弧部６７と、内周側の直線部６８と、外周側と内周側とを接続する側縁部６９，６９とで扇形に囲まれた形状である。この直線部６８は、一対の第1直線部７０，７０と、一対の第2直線部７１，７１とから構成されている。側縁部６９と第１直線部７０とは交点Ａにおいて交差し、第1直線部７０と第２直線部７１とは交点Ｂにおいて交差し、第２直線部７１，７１同士は交点Ｃにおいて交差している。交点Ａと円弧部６７との距離をＬ１とし、交点Ｂと円弧部６７との距離をＬ２とし、交点Ｃと円弧部６７との距離をＬ３とすると、Ｌ１＝Ｌ３であって、Ｌ２＞Ｌ１，Ｌ３である。
【００５１】
その後、交点Ｃを通る折畳み線７２（図中、点線で示す）を中心にして、扇形の不織布６６を2つに折畳んで、側縁部６９，６９同士を重ね合せ、第２直線部７１，７１同士を重ね合わせ、更に、第１直線部７０，７０同士を重ね合わせる。次に、このように重ね合わせた側縁部６９，６９同士、第２直線部７１，７１同士、及び第１直線部７０，７０同士を接着、又は逢着する。これにより、図１１に示すように、上面７３のみが開口した容器６１が完成する。このように形成された容器６１の底部６２には、底部６２の周縁部６３から中心部６４に向けて下向きに傾斜する傾斜部６５，６５が形成される。そして、容器６１の中心に紐や鎖７４等の上端を取り付け、その下端側は下方へ垂れ下げる。紐や鎖７４等には、途中に装飾具７５を取付ける。このように製造された容器６１内に、上面から腐葉土を収容して植物を植え、必要に応じて散水する。散水されて容器６１の底部６２に貯留した余分の水は、底部６２の傾斜部６５，６５に沿って流れて底部６２の中心部６４に集まる。容器６１の底部６２の中心に集まった余分の水は、底部６２の中心部６４から容器６１外へ染み出し、紐や鎖７４を伝わって下方へ排水される。尚、前記容器６１の上縁の外周には外周に沿って装飾布７６を逢着するようにしても良い。
【００５２】
図１３乃至図１５は、前記第５実施形態の容器６１を載置する載置台８１を示す。図１３に示す載置台８１は、基台部８２と、柱部８３と、支持部８４とを備えた形状である。前記載置台８１が転倒しないように、前記基台８２は４角形に形成されている。前記支持部８４は略円形に形成され、前記柱部８３の途中に複数設けられている。図１３に示すように、このように形成された支持部８４の上側からこの支持部８４内に容器６１を落とし込むようにして支持部８４内に容器６１を収容して吊下げる。この場合、容器６１に設けられた装飾布７６が支持部８４に被さることにより、容器６１は支持部８４に支持されることができて、下方に落下しない。前記基台部８２に握り部８５を設け、又、柱部８３の上端に吊下げ部８６を設けても良い。このように、握り部８５、吊下げ部８６を形成した場合、作業者は、握り部８５を握り締めて、任意の場所に持ち運びでき、又、吊下げ部８６を吊下げながら任意の場所に移動して設置することができる。
【００５３】
このように、容器６１を吊下げて支持した載置台８１は、机上等に載置することにより、机上等の装飾具として使用することができる。
【００５４】
図１４，図１５に示す載置台９１は、３個の組合せ台９２，９３，９４を組合せて形作ることができる。図１４は、載置台９１の側面図を示し、図１５は載置台９１を上側から観た平面図を示す。各組合せ台９２，９３，９４は、組合せ基台９５と、組合せ柱９６と、各組合せ柱９６の途中に設けられた支持部９７とを備えた形状である。このように形成された各組合せ台９２，９３，９４を組合せた載置台９１は、図１５に示すように、全体として略正三角形状の基台９８と、該正三角形の中心から立設した３本の組合せ柱９６を備えた形状である。このような形態の載置台９１も図１３に示す載置台８１と同様に、机上等の装飾具とし使用することができる。
【図面の簡単な説明】
【００５５】
【図１】プランター装置の斜視図である。（第一実施形態）
【図２】プランター装置の一部を断面にした状態の側面図である。（第一実施形態）
【図３】プランター装置の一部を構成する容器が収容される籠の斜視図である。（第一実施形態）
【図４】籠の一部を拡大して示す一部拡大図である。（第一実施形態）
【図５】プランター装置を複数個配置した状態の示す図である。
【図６】腐葉土内に水貯留部を配置した状態の斜視図である。（第２実施形態）
【図７】植物を植付けた状態の側面図である。（第２実施形態）
【図８】腐葉土内に水貯留部を配置した状態の側面図である。（第３実施形態）
【図９】図８の平面図である。（第３実施形態）
【図１０】腐葉土内に水貯留部を配置した状態の側面図である。（第４実施形態）
【図１１】プランターの外観図である。（第５実施形態）
【図１２】プランターの展開図である。（第５実施形態）
【図１３】プランターを載置して、装飾具として用いた場合の斜視図である。
【図１４】プランターを載置して、別の装飾具として用いた場合の斜視図である。
【図１５】図１４の平面図である。
【図１６】従来技術のプランターを示す斜視図である・
【符号の説明】
【００５６】
１  容器
２  プランター装置
４  腐葉土
６  水貯留部
９  水供給口
１０  水供給管
１２  散水孔
１６  籠
１９  引掛部
２０  吊下部材
６１  容器
８１  載置台
９１  載置台
【図１】
2006034151.tif 000003
【図２】
2006034151.tif 000004
【図３】
2006034151.tif 000005
【図４】
2006034151.tif 000006
【図５】
2006034151.tif 000007
【図６】
2006034151.tif 000008
【図７】
2006034151.tif 000009
【図８】
2006034151.tif 000010
【図９】
2006034151.tif 000011
【図１０】
2006034151.tif 000012
【図１１】
2006034151.tif 000013
【図１２】
2006034151.tif 000014
【図１３】
2006034151.tif 000015
【図１４】
2006034151.tif 000016
【図１５】
2006034151.tif 000017
【図１６】
2006034151.tif 000018